(57)【要約】【課題】植物の繁殖をより確実に抑制できる防草ボード、および、防草ボードの敷設方法を提供する。【解決手段】地面に敷設されて、植物の繁茂を抑制する防草ボード１であって、地表を覆う地表部５の端部に地中へ埋没させる埋没部４を有し、埋没部４は、少なくとも一部に地表面に対して傾斜した傾斜面が形成されている。埋没部４は、地表面に対して交差する方向に延在した第１の部分１１と、斜めに延在した第２の部分１２とを、有し、第２の部分１２に傾斜面が形成されている。【選択図】図３
2018009367.tif 000002
【特許請求の範囲】
【請求項１】
地面に敷設されて、植物の繁茂を抑制する防草ボードであって、
地表を覆う地表部の端部に地中へ埋没させる埋没部を有し、
前記埋没部は、少なくとも一部に地表面に対して傾斜した傾斜面が形成されていることを特徴とする防草ボード。
【請求項２】
前記埋没部は、地表面に対して交差する方向に延在した第１の部分と、前記第１の部分の下端から地表面に向けて斜めに延在した第２の部分とを、有し、
前記第２の部分に傾斜面が形成されたことを特徴とする請求項１に記載の防草ボード。
【請求項３】
地表を覆う地表部の端部に地中へ埋没させる埋没部を有し、当該埋没部の少なくとも一部に地表面に対して傾斜した傾斜面が形成された防草ボードの敷設方法であって、
少なくとも埋没部に対応する部分の地面を掘削して空間を形成する掘削工程と、
前記地表部が地表を覆って前記空間に埋没部が挿入されるように前記防草ボードを地面に配置する配置工程と、
前記埋没部が挿入された前記空間に、前記傾斜面が傾斜した状態を維持しつつ舗装材を充填する舗装工程と、
を含むことを特徴とする防草ボードの敷設方法。
【発明の詳細な説明】
【技術分野】
【０００１】
本発明は、地面に植物が繁殖することを抑制する防草ボード、および、防草ボードの敷設方法に関する。
【背景技術】
【０００２】
車道や歩道などの舗装面の外側に舗装されていない地面がある場合、この地面に雑草等の植物が繁殖する。この植物が舗装面側に進入すると、交通の障害となる虞がある。例えば、歩道まで植物が張り出した場合、これらの植物が歩行の障害となり、転倒や怪我の要因となる虞がある。また、繁茂した植物により、車道を走行する走行車の視距が阻害される虞もある。このため、従来では、植物の繁殖を防止する防草シートや防草パネルを車道や歩道の脇の路肩や法面に敷設し、アンカー部材等を用いて地面に固定していた（例えば、特許文献１参照）。
【先行技術文献】
【特許文献】
【０００３】
【特許文献１】特開平１１−６１２２号公報
【発明の概要】
【発明が解決しようとする課題】
【０００４】
しかしながら、防草シートや防草パネル等を地面に敷設するだけでは植物の繁殖を十分に抑制できなかった。具体的には、防草シートや防草パネル等に覆われた領域と、これよりも外側の領域との境界において、植物が繁殖する虞があった。特に、道路側における防草シートや防草パネル等の境目に植物が繁殖すると、上記したような交通の障害を引き起こす原因となる虞がある。
【０００５】
本発明は、このような事情に鑑みてなされたものであり、その目的は、植物の繁殖をより確実に抑制できる防草ボード、および、防草ボードの敷設方法を提供することにある。
【０００６】
本発明は、上記した目的を達成するために提案されたもので、請求項１に記載のものは、地面に敷設されて、植物の繁茂を抑制する防草ボードであって、
地表を覆う地表部の端部に地中へ埋没させる埋没部を有し、
前記埋没部は、少なくとも一部に地表面に対して傾斜した傾斜面が形成されていることを特徴とする防草ボードである。
【０００７】
請求項２に記載のものは、前記埋没部は、地表面に対して交差する方向に延在した第１の部分と、前記第１の部分の下端から地表面に向けて斜めに延在した第２の部分とを、有し、
前記第２の部分に傾斜面が形成されたことを特徴とする請求項１に記載の防草ボードである。
【０００８】
請求項３に記載のものは、地表を覆う地表部の端部に地中へ埋没させる埋没部を有し、当該埋没部の少なくとも一部に地表面に対して傾斜した傾斜面が形成された防草ボードの敷設方法であって、
少なくとも埋没部に対応する部分の地面を掘削して空間を形成する掘削工程と、
前記空間に埋没部が挿入されるように前記防草ボードを地面に配置する配置工程と、
前記地表部が地表を覆って前記埋没部が挿入された前記空間に、前記傾斜面が傾斜した状態を維持しつつ舗装材を充填する舗装工程と、
を含むことを特徴とする防草ボードの敷設方法である。
【発明の効果】
【０００９】
請求項１に記載の発明によれば、防草ボードに覆われた領域における植物の繁殖を抑制できると共に、この防草ボードに覆われた領域とこれよりも外側の領域との境界において、植物が繁殖することを抑制できる。すなわち、防草ボードの埋没部以外の部分で舗装されていない地面を覆った状態で、この地面より外側でアスファルトやコンクリート等の舗装材を打設して、埋没部をこの舗装材内に埋没させれば、地面と舗装材との境界における植物の成長を阻害できる。具体的には、傾斜面よりも上方で発芽した植物の根が屈地性（植物の根が下方に伸びようとする性質）により下方に伸びようとしても、傾斜面と舗装材との境界で下方に成長し続けることを阻害できる。また、傾斜面よりも下方で発芽した植物の茎や葉が屈光性（植物の茎や葉が上方に伸びようとする性質）により上方に伸びようとしても、傾斜面と舗装材との境界で上方に成長し続けることを阻害できる。その結果、植物の繁殖をより確実に抑制できる。また、埋没部がアンカーとして機能し、防草ボードが外れたり、位置がずれたりする不具合を抑制できる。
【００１０】
請求項２に記載の発明によれば、防草ボードの構成を簡単にできる。
【００１１】
請求項３に記載の発明によれば、防草ボードに覆われた領域だけでなく、この領域の外側の舗装材により舗装された領域との境界でも植物が繁殖することを抑制できる。また、防草ボードが外れたり、位置がずれたりする不具合を抑制できる。
【図面の簡単な説明】
【００１２】
【図１】防草ボードの平面図である。
【図２】防草ボードの正面図である。
【図３】地面に敷設された防草ボードを説明する斜視図である。
【図４】防草ボードの地面への敷設方法を説明する模式図である。
【図５】防草ボードの地面への敷設方法を説明する模式図である。
【図６】防草ボードの地面への敷設方法を説明する模式図である。
【図７】防草ボードの地面への敷設方法を説明する模式図である。
【図８】防草ボードの地面への敷設方法を説明する模式図である。
【図９】防草ボードの地面への敷設方法を説明する模式図である。
【図１０】第２の実施形態における防草ボードの平面図である。
【図１１】第２の実施形態における防草ボードの正面図である。
【図１２】第２の実施形態における地面に敷設された防草ボードを説明する斜視図である。
【図１３】第３の実施形態における防草ボードの正面図である。
【発明を実施するための形態】
【００１３】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、各実施形態に示す防草ボード１の各部の寸法、角度、および、道路の構造等の寸法は、説明の都合上、実際の寸法、縮尺と異なる場合がある。
【００１４】
図１は、防草ボード１の平面図である。図２は、防草ボード１の正面図である。図３は、地面に敷設された防草ボード１を説明する斜視図である。
【００１５】
防草ボード１は、地面に敷設されて植物の繁茂を抑制する板（ボード）である。この防草ボード１は、遮光性、耐候性、及び、耐熱性を有しているものが望ましく、例えば、プラスチック等からなる樹脂板、石膏ボード、これらにガラス繊維を入れたものやコーティングを施したもの、又は、コンクリート板等が用いられる。本実施形態における防草ボード１は、例えば、法面７に敷設される平面視で矩形状の傾斜部２と、この傾斜部２の上端部に接続され、略水平な地面（例えば、車道や歩道の脇の路肩６）に敷設される平面視で矩形状の水平部３と、この水平部３の一側（傾斜部２とは反対側）の端部に接続され、地中に埋設される埋没部４と、を備えている。すなわち、傾斜部２と水平部３とが、地表を覆う地表部５として機能する。
【００１６】
詳しく説明すると、水平部３は、図３に示すように、略水平な路肩６に配置される部分である。また、傾斜部２は、路肩６の端部から下方に下り傾斜した法面７に配置される部分である。これら傾斜部２及び水平部３を法面７及び路肩６に敷設することで、当該法面７及び路肩６における植物の繁殖を抑制することができる。なお、防草ボード１の裏面（地面に対向する面）における水平部３と傾斜部２との境界には、図示しない溝が形成されている。これにより、傾斜部２を法面７に沿って下側に折り曲げ易くすることができる。また、傾斜部２の水平部３に対する傾斜角度は、法面７の路肩６に対する傾斜角度に応じて変更することができる。なお、防草ボードとしては、水平部と傾斜部とを別体に形成し、これらを連結した構成とすることもできる。
【００１７】
埋没部４は、図１〜図３に示すように、地表面（路肩６の表面、或いは、水平部３）に対して交差する方向に延在した第１の部分１１と、第１の部分１１の下端から地表面に向けて斜めに延在した第２の部分１２とを、有している。本実施形態における第１の部分１１は、水平部３の一側の端部から、鉛直方向（地表面に対して直交する方向）の下方に向けて延在されている。第２の部分１２は、この第１の部分１１の下端から水平部３とは反対側の路肩６の表面（地表面）に向けて、斜め上方に延在されている。すなわち、埋没部４は、第１の部分１１と第２の部分１２との間の角が鋭角となるように、折り返された状態に形成されている。このため、第２の部分１２の上面１３及び下面１４は、水平部３に対して傾斜した面となる。なお、第２の部分１２の上面１３又は下面１４が本発明における傾斜面に相当する。この第２の部分１２は、埋没された状態において路肩６から上方にはみ出ないように、鉛直方向において、水平部３よりも下方に形成されている。
【００１８】
このような防草ボード１は、図３に示すように、路肩６の舗装されていない非舗装領域８を水平部３で覆うと共に、法面７の一部（上部）を傾斜部２で覆うように、路肩６の延在方向に沿って複数並設される。なお、本実施形態では、水平部３及び傾斜部２に複数のアンカーピン１６が打ち込まれている。これにより、防草ボード１を地面に強固に固定することができる。また、埋没部４の第１の部分１１は、非舗装領域８とこれよりも外側（法面７とは反対側）の舗装された舗装領域９との境界に沿って配置される。さらに、埋没部４の第２の部分１２は、この境界から舗装領域９に充填された舗装材１０の内部に向けて、斜め上方に突出した状態に配置される。すなわち、第１の部分１１は、非舗装領域８と舗装領域９との境界に埋没され、第２の部分１２は、舗装領域９内に埋没される。これにより、埋没部４がアンカーとして機能し、防草ボード１が外れたり、その位置がずれたりする不具合を抑制できる。その結果、防草ボード１を地面に一層強固に固定することができ、防草ボード１に打ち込むアンカーピン１６の数を減らす或いは無くすことができる。なお、隣接する防草ボード１同士は、例えば、両防草ボード１を隙間なく並べて、その境界をテープで塞いだり、両防草ボード１の端部を重ねたりしたりして配置される。
【００１９】
次に、図４〜図９を用いて、路肩６及び法面７に防草ボード１を敷設する方法を説明する。本実施形態では、図４に示すような路肩６及び法面７に防草ボード１を敷設する。また、本実施形態では、路肩６の法面７とは反対側（すなわち道路側）の領域は、舗装された舗装領域９となっており、路肩６の法面７側の領域は、舗装されていない非舗装領域８となっている。まず、掘削工程において、少なくとも埋没部４に対応する部分の地面を掘削して空間１７を形成する。本実施形態における掘削工程では、図５に示すように、路肩６の非舗装領域８と法面７の防草ボード１が敷設される領域の全体を掘削している。これにより、この領域の雑草や石等を取り除くことができる。次に、図６に示すように、掘削された領域のうち防草ボード１の埋没部４に対応する領域以外の領域に土等を敷き詰めて整地する。これにより、舗装領域９に隣接する領域に防草ボード１の埋没部４が挿入可能な断面凹状の空間１７が形成される。そして、図７に示すように、配置工程において、地表部５（傾斜部２及び水平部３）が地表を覆って空間１７に埋没部４が挿入されるように防草ボード１を地面に配置する。具体的には、路肩６のうち空間１７よりも法面７側の非舗装領域８を水平部３で覆うと共に、法面７の上部を傾斜部２で覆うように、防草ボード１を配置する。また、空間１７内において、当該空間１７を区画する非舗装領域８側の側面１９に沿って、第１の部分１１を配置し、第２の部分１２を舗装領域９に向けて斜め上方に突出した状態に配置する。
【００２０】
次に、防草ボード１を地面に配置した状態で、図８に示すように、複数のアンカーピン１６を打ち込む。本実施形態では、水平部３及び傾斜部２の路肩６の延在方向に沿った方向の両端部にアンカーピン１６を打ち込んで、防草ボード１を地面に固定する。例えば、アンカーピン１６を、防草ボード１を板厚方向に貫通する貫通孔（図示せず）に挿通しつつ地面に打ち込む。なお、この防草ボード１の貫通孔は、予め防草ボード１に開設しておくこともできるし、現場において、ドリル等を用いて開設することもできる。最後に、舗装工程において、埋没部４が挿入された空間１７に、第２の部分１２が傾斜した状態を維持しつつアスファルトやコンクリート等の舗装材１０を充填する。すなわち、空間１７内に流体状の舗装材１０を流し込み、空間１７内を舗装材１０で満たす。そして、コテやローラー等を用いて、舗装材１０の上面を平らに均した後、当該舗装材１０を乾燥させる。これにより、空間１７が形成されていた領域が舗装領域９の一部となり、図９に示すような路肩構造を作製できる。
【００２１】
このように、防草ボード１の水平部３及び傾斜部２で舗装されていない路肩６及び法面７を覆った状態で、空間１７に舗装材１０を打設して、埋没部４をこの舗装材１０内に埋没させたので、路肩６の非舗装領域８と舗装領域９（舗装材１０）との境界における植物の成長を阻止できる。具体的には、第２の部分１２よりも上方の地面と舗装材１０との隙間で発芽した植物の根が屈地性（植物の根が下方に伸びようとする性質）により下方に伸びようとしても、第２の部分１２の上面１３が斜め上方に延在しているため、この上面１３と舗装材１０との境界（隙間）で下方に成長し続けることを阻止できる。また、第２の部分１２よりも下方の地面と舗装材１０との隙間で発芽した植物の茎や葉が屈光性（植物の茎や葉が上方に伸びようとする性質）により上方に伸びようとしても、第２の部分１２の上面１３と舗装材１０との境界（隙間）で上方に成長し続けることを阻止できる。すなわち、防草ボード１に覆われた領域における植物の繁殖を抑制できると共に、この防草ボード１に覆われた領域（非舗装領域８）とこれよりも外側の領域（舗装領域９）との境界において、植物が繁殖することを抑制できる。その結果、植物の繁殖をより確実に抑制できる。また、傾斜面を第２の部分１２に形成する構成としたので、防草ボード１の構成を簡単にできる。
【００２２】
ところで、上記した第１の実施形態では、路肩６及び法面７を覆うように、防草ボード１が水平部３及び傾斜部２を備えていたが、これには限られない。防草ボードは、敷設される地面の形状に応じて、種々の形状を取り得る。例えば、図１０〜図１２に示す第２の実施形態では、平坦な路肩６′に敷設することを目的としているため、防草ボード１′が傾斜部を有していない。
【００２３】
具体的には、本実施形態の防草ボード１′は、略水平な路肩６′に敷設される平面視で矩形状の水平部３′と、この水平部３′の一側（道路側）の端部に接続され、地中に埋設される埋没部４と、を備えている。すなわち、本実施形態では、水平部３′が、地表を覆う地表部５′となる。埋没部４は、第１の実施形態と同様に、地表面（路肩６′の表面、或いは、水平部３′）に対して交差する方向に延在した第１の部分１１と、第１の部分１１の下端から地表面に向けて斜めに延在した第２の部分１２とを、有している。本実施形態でも、第１の部分１１は、水平部３′の一側の端部から、鉛直方向の下方に向けて延在されている。また、第２の部分１２は、この第１の部分１１の下端から水平部３′とは反対側の路肩６′の表面（地表面）に向けて、斜め上方に延在されている。このため、本実施形態でも、第２の部分１２の上面１３及び下面１４は、水平部３′に対して傾斜した面となる。なお、その他の構成は、上記した第１の実施形態と略同じであるため、説明を省略する。
【００２４】
本実施形態の防草ボード１′は、図１２に示すように、路肩６′の舗装されていない非舗装領域８′を水平部３′で覆うように、路肩６′の延在方向に沿って複数並設される。なお、本実施形態でも、水平部３′に複数のアンカーピン１６が打ち込まれている。また、埋没部４の第１の部分１１は、非舗装領域８′とこれよりも外側の舗装された舗装領域９′との境界に沿って配置される。さらに、埋没部４の第２の部分１２は、この境界から舗装領域９′に充填された舗装材１０′の内部に向けて、斜め上方に突出した状態に配置される。すなわち、第１の部分１１は、非舗装領域８′と舗装領域９′との境界に埋没され、第２の部分１２は、舗装領域９′に埋没される。これにより、本実施形態でも、路肩６′における植物の繁殖をより確実に抑制できる。なお、路肩６′への防草ボード１′の敷設方法は、上記した第１の実施形態と略同じであるため、説明を省略する。
【００２５】
ところで、埋没部の形状は、上記した各実施形態で例示した形状に限られない。例えば、図１３に示す第３の実施形態の防草ボード１″では、埋没部４の第２の部分１２の下面１４（裏面）に補強部材１５が取り付けられている。本実施形態における補強部材１５は、第２の部分１２の下面１４に当接する傾斜面、水平面及び鉛直面からなる断面略直角三角形状を呈している。このような、補強部材１５は、例えば、発泡スチロール、ゴム、樹脂等からなり、接着剤やネジ等を用いて埋没部４の第２の部分１２に取り付けられる。なお、補強部材１５は、埋没部４の第２の部分１２と一体的に形成することもできる。また、補強部材１５は、第２の部分１２の長手方向において、第２の部分１２の全体に（すなわち、横長柱状に）設けることもできるし、部分的に設けることもできる。さらには、薄い板状に構成することもできる。
【００２６】
このように第２の部分１２に補強部材を取り付けたので、防草ボード１″の搬送時や施工時において、第２の部分１２の第１の部分１１に対する角度が変化することを抑制できる。すなわち、補強部材１５により、第２の部分１２の傾斜角度を維持し易くなる。これにより、埋没部４′が舗装材内に埋没された状態においても、第２の部分１２の傾斜角度が維持し易くなり、植物の成長をより安定して阻止できる。その結果、植物の繁殖を一層抑制できる。なお、その他の構成は、上記した第１の実施形態と同じであるため説明を省略する。
【００２７】
また、埋没部の形状は上記した第１〜第３の実施形態に限られない。要は、少なくとも一部に地表面に対して傾斜した傾斜面が形成されていればよい。さらに、傾斜面としては、平面に限られず、一部又は全部が湾曲した曲面であっても良い。そして、本発明は上記した実施形態に限らず、特許請求の範囲内での全ての変更が含まれる。
【符号の説明】
【００２８】
１    防草ボード
２    傾斜部
３    水平部
４    埋没部
５    傾斜部
６    路肩
７    法面
８    非舗装領域
９    舗装領域
１０    舗装材
１１    第１の部分
１２    第２の部分
１３    上面
１４    下面
１５    補強部材
１６    アンカーピン
１７    空間
１９    側面
【図１】
2018009367.tif 000003
【図２】
2018009367.tif 000004
【図３】
2018009367.tif 000005
【図４】
2018009367.tif 000006
【図５】
2018009367.tif 000007
【図６】
2018009367.tif 000008
【図７】
2018009367.tif 000009
【図８】
2018009367.tif 000010
【図９】
2018009367.tif 000011
【図１０】
2018009367.tif 000012
【図１１】
2018009367.tif 000013
【図１２】
2018009367.tif 000014
【図１３】
2018009367.tif 000015